(57)【要約】【課題】表示欠陥の検出、および外光による影響を含めた色補正、を簡易に行なうことのできる表示装置を提供することを目的とする。【解決手段】入力画像を表示画面に表示する表示部と、  表示画面に対し位置関係を固定して配置される撮像素子を有し、表示画面と表示画面の周囲とを含む撮像領域を撮像素子で撮像した撮像信号から、撮像画像を得る撮像部と、  入力画像と、撮像部で得られた撮像画像のうち表示画面に対応する領域の画像と、を比較し表示部の表示欠陥を検出する欠陥検出部と、  撮像素子で撮像した前記撮像信号、または撮像部で得られた撮像画像の画像データ、をもとに表示画面に表示する色を補正する色補正部と、を備える。【選択図】  図１
2015194567.tif 000002
【特許請求の範囲】
【請求項１】
入力画像を表示画面に表示する表示部と、
前記表示画面に対し位置関係を固定して配置される撮像素子を有し、前記表示画面と前記表示画面の周囲とを含む撮像領域を前記撮像素子で撮像した撮像信号から、撮像画像を得る撮像部と、
前記入力画像と、前記撮像部で得られた前記撮像画像のうち前記表示画面に対応する領域の画像と、を比較し前記表示部の表示欠陥を検出する欠陥検出部と、
前記撮像素子で撮像した前記撮像信号、または前記撮像部で得られた前記撮像画像の画像データ、をもとに前記表示画面に表示する色を補正する色補正部と、
を備える表示装置。
【請求項２】
前記撮像素子は、
広角の撮像素子であり、
前記表示装置はさらに、
前記撮像画像のうち前記表示画面に対応する領域の画像に対し、前記広角の撮像素子に起因する前記撮像画像の歪を補正する画像処置部を有し、
前記欠陥検出部は、
前記入力画像と、前記画像処置部で歪補正され前記表示画面に対応する領域の画像と、を比較し前記表示部の表示欠陥を検出する、
請求項１に記載の表示装置。
【請求項３】
前記色補正部は、
前記撮像画像のうち前記表示画面に対応する領域以外の領域、の画像をもとに、前記表示画面に表示する色を補正する、
請求項１に記載の表示装置。
【請求項４】
前記画像処理部はさらに、
前記撮像画像のうち前記表示画面に対応する領域以外の領域、の画像に対し顔認識を行い、
前記色補正部はさらに、
前記画像処理部で認識された顔から年齢を推定するとともに、推定された前記年齢をもとに前記表示画面に表示する色を補正する、
請求項２または請求項３に記載の表示装置。
【請求項５】
前記表示部は、
複数の画素を有する表示ユニットを複数備え、
前記欠陥検出部は、
前記表示ユニット単位で前記表示部の表示欠陥を検出する、
請求項１ないし請求項４のいずれかに記載の表示装置。
【請求項６】
前記色補正部は、
前記撮像素子で撮像した前記撮像信号、または前記撮像画像の画像データ、の複数の画素に対応する値をもとに前記表示画面に表示する色を補正する、
請求項１ないし請求項５のいずれかに記載の表示装置。
【請求項７】
前記色補正部は、
前記撮像信号、または前記撮像画像の画像データ、の値を表す色表現用パラメータの、前記表示画面と前記表示画面の周囲とを含む前記撮像領域に渡る、複数の画素に対応する値の平均値をもとに前記表示画面に表示する色を補正し、
前記表示画面に表示する色を補正するための補正値、を表すパラメータは、
前記色表現用パラメータとは異なる表現形式の色表現用パラメータである、
請求項６に記載の表示装置。
【請求項８】
表示画面を有する表示部、前記表示画面に対し位置関係を固定して配置され前記表示画面を撮像する撮像素子を有する撮像部、および前記表示画面に表示する色を補正する色補正部、を備えた表示装置の表示方法であって、
入力画像を前記表示画面に表示する表示ステップと、
前記表示画面と前記表示画面の周囲とを含む撮像領域を前記撮像素子で撮像した撮像信号から、撮像画像を得る撮像ステップと、
前記入力画像と、前記撮像部で得られた前記撮像画像のうち前記表示画面に対応する領域の画像と、を比較し前記表示部の表示欠陥を検出する欠陥検出ステップと、
前記撮像素子で撮像した前記撮影撮像信号、または前記撮像部で得られた前記撮像画像の画像データ、をもとに前記表示画面に表示する色を補正する色補正ステップと、
を備える表示装置の表示方法。
【発明の詳細な説明】
【技術分野】
【０００１】
本発明は、一般的には、表示装置に関し、特には、表示装置の欠陥を検出可能な表示装置に関する。
【背景技術】
【０００２】
従来の表示装置、例えば（１）ＣＲＴ表示装置、（２）液晶表示装置、に対し、装置自体の不良に起因して生じる表示上の欠陥（以下、表示欠陥と記載。）の検出、例えば輝度が周囲の画素と異なる画素の検出、が行なわれている。
【０００３】
そのための検出技術として、撮像装置を別途用意して表示装置に接続し、表示装置の表示画面を撮像した画像（以下、撮像画像と記載。）を用いて表示欠陥を検出する技術が知られている。（特許文献１、特許文献２）
【先行技術文献】
【特許文献】
【０００４】
【特許文献１】特開２００１-０７５５４２号公報
【特許文献２】特開平９−１０１２３６号公報
【０００５】
特許文献１では、撮像画像に対しメディアンフィルタまたはラプラシアンフィルタを用いたフィルタ処理を行うことで、欠陥やむらに対応する画素を検出している。
【０００６】
また、上記フィルタによる処理の結果と一定基準値との差をとり、その差を補正値として表示装置に記憶させて欠陥やむらを補正できるようにしている。
【０００７】
そして、１つの表示装置に対して補正を行い、それが終了すると、接続を切り離し、他の表示装置と接続し、次の補正を行なう。
【０００８】
特許文献２では、点欠陥を検出するためのカメラアレイと、むらを検出するためのカメラと、を別個に設けた検査装置により液晶表示装置を撮像し、点欠陥と表示むらを別々に検出して、検出結果を検査装置のモニタに表示するようにしている。
【発明の概要】
【発明が解決しようとする課題】
【０００９】
しかし、特許文献１では、表示装置を例えば屋外に設置する場合のように、表示装置外から来る光（以下、外光と記載。）の色に影響されて、表示画面を見る人から見て、例えば（１）意図した表示の色と異なって見える場合、（２）表示画面の色が時間的に変化する場合、に何度も補正装置を接続して補正し直す必要があり、補正が簡易にできないという課題があった。
【００１０】
また、特許文献２では、複数台のカメラを必要とし装置構成が大掛かりになるため、検査装置を設置するための広いスペースが必要であり、また、検出を行うのみであり、補正については、別途行なう必要があるため簡易にできないという課題があった。
【００１１】
本発明は、上述した課題を解決するためになされたものであり、表示欠陥の検出、および色補正、を簡易に行なうことのできる表示装置を提供することを目的とする。
例えば、表示欠陥の検出、および、表示装置の外部の環境の影響である上記特許文献１の課題である外光による影響、を含めた色補正、を簡易に行うことのできる表示装置を提供することを目的とする。
【課題を解決するための手段】
【００１２】
入力画像を表示画面に表示する表示部と、
前記表示画面に対し位置関係を固定して配置される撮像素子を有し、前記表示画面と前記表示画面の周囲とを含む撮像領域を前記撮像素子で撮像した撮像信号から、撮像画像を得る撮像部と、
前記入力画像と、前記撮像部で得られた前記撮像画像のうち前記表示画面に対応する領域の画像と、を比較し前記表示部の表示欠陥を検出する欠陥検出部と、
前記撮像素子で撮像した前記撮像信号、または前記撮像部で得られた前記撮像画像の画像データ、をもとに前記表示画面に表示する色を補正する色補正部と、
を備えることを特徴とする。
【発明の効果】
【００１３】
本発明の表示装置によれば、表示欠陥の検出、および色補正、を簡易に行なうことができる。
【図面の簡単な説明】
【００１４】
【図１】本発明の実施の形態１における、表示装置の内部構成の概要を示す図である。
【図２】本発明の実施の形態１における、撮像部の内部構成の概要を示す図である。
【図３】本発明の実施の形態１における、表示装置を正面側から見た外観の概要を示す図である。
【図４】本発明の実施の形態１における、表示装置の変形例を正面側から見た外観の概要を示す図である。
【図５】本発明の実施の形態１における、撮像部の変形例の内部構成の概要を示す図である。
【図６】本発明の実施の形態２における、表示装置の内部構成の概要を示す図である。
【図７】本発明の実施の形態２における、撮像部の内部構成の概要を示す図である。
【図８】本発明の実施の形態２における、画像処理部の内部構成の概要を示す図である。
【図９】本発明の実施の形態３における、表示装置の内部構成の概要を示す図である。
【図１０】本発明の実施の形態３における、画像処理部の内部構成の概要を示す図である。
【図１１】本発明の実施の形態４における、表示装置の内部構成の概要を示す図である。
【図１２】本発明の実施の形態４における、画像処理部の内部構成の概要を示す図である。
【図１３】本発明の実施の形態５における、表示装置の内部構成の概要を示す図である。
【発明を実施するための形態】
【００１５】
以下に、本発明の各実施の形態について図を用いて説明する。
【００１６】
なお、以下の各実施の形態の図においては、同一ないしは同様なものについては同一ないしは同様の番号を付け、各実施の形態の説明においてその説明を一部省略する場合がある。
【００１７】
また、図の各要素は、本発明を説明するために便宜的に分割したものであり、その実装形態は図の構成、分割、名称等に限定されない。また、分割の仕方自体も図に示した分割の仕方に限定されない。
【００１８】
また、図中および以下の説明の記載における「・・部」（「・・処理部」）は、例えば「・・手段」（「・・処理手段」）、「・・機能単位」（「・・処理機能単位」）、「・・回路」（「・・処理回路」）、「・・装置」（「・・処理装置」）、「・・処理」、「・・ステップ」、「・・処理ステップ」と置換えてもよい。また、「・・部」（「・・処理部」）を「・・処理」、「・・ステップ」、「・・処理ステップ」と置換えた場合は、処理フローの図とみなしてもよい。
【００１９】
実施の形態１.
【００２０】
以下に、本発明の各実施の形態１について図１ないし図５を用いて説明する。
【００２１】
図１は、本発明の実施の形態１における、表示装置の内部構成の概要を示す図である。
【００２２】
なお、図示しない構成要素を含む広義の表示装置を各種定義することも可能であり、例えば（１）電源、（２）制御回路、（３）通信機能、（４）各種インターフェースを含むことが可能である。
【００２３】
図において、１１は表示部、１２は撮像部、１３は画像処理部、１４は欠陥検出部、１５は色補正部、点線の矢印は光、実線の矢印は、画像、信号、情報、のいずれかまたはそれらの組合せ、を示す。
【００２４】
また、実線で示した画像、信号、情報は、表示装置の実装において各種の表現形式が使用可能であり、また、（１）値そのもの、（２）値を表す情報、（３）値を表すためのパラメータ、などでもよい。
【００２５】
表示部１１は、表示画面を有し、表示対象となる画像（以下、入力画像と記載。）に対応する光（以下、表示光と記載。）を発することで、入力画像を表示画面に表示する。
【００２６】
なお、以下の説明において「画像」は、（１）「データ等の集合によって表現される対象としての画像」を意味する場合に用いるほかに、（２）「画像を表すためのデータ（例えば画素毎の色を表現するデータ。）」を意味する場合にも用いることがある。
【００２７】
入力画像を表すデータの実装としては、各種データおよび情報が使用可能であり、例えば（１）文字、（２）ＴＶ放送、（３）広告、（４）テストパターン、（５）表示装置の制御に関する各種制御情報、が使用可能である。また、例えば（１）静止画像、（２）動画像、（３）両者の組合せ、が使用可能である。
【００２８】
表示部１１の実装としては、各種表示素子及び表示用材料が適用可能であり、例えば（１）ＣＲＴ表示器、（２）液晶表示器、（３）有機ＥＬ表示器、（４）ＬＥＤ表示器、（５）量子ドット表示器、が適用可能である。
【００２９】
また、表示画面を形成する表示素子は、複数の部分領域に分割可能なものでも、表示画面全体に渡って一体のものでもよい。分割可能な場合の単位表示素子としては、例えば（１）画素単位の表示素子、（２）複数画素を有する表示ユニット、（３）上記の組合せ、が使用可能である。
【００３０】
また、表示部１１は、欠陥検出部１４で得られた、表示欠陥の位置に関する情報（以下、欠陥位置情報と記載。）を入力する。
【００３１】
表示部１１における欠陥位置情報の利用形態は、各種形態が適用可能であり、例えば（１）欠陥位置情報を表示装置の管理者等に通知するために表示画面に表示する、（２）欠陥に対応する表示素子が表示しないように制御する、（３）位置情報以外の情報、例えば表示欠陥の程度に関する情報、と組合せて輝度などの表示条件を補正する、といった利用形態が適用可能である。
【００３２】
また、表示部１１は、表示画面に表示される色を調整するための情報（以下、色補正パラメータと記載。）をもとに、表示光を変化させる。
【００３３】
色補正パラメータの表現形式は、表示部１１の実装に合せて各種表現形式のパラメータが使用可能である。例えば、表示部１１の色の制御の実装における制御用パラメータがＲＧＢ（赤／緑／青）表現であればＲ、Ｇ、Ｂに関するパラメータを、ＹＣｂＣｒ（輝度／色差／色差）表現であればＹ、Ｃｂ、Ｃｒに関するパラメータを、用いることができる。但し、表示装置の構成要素において必要に応じ表現形式を変換して用いること、を妨げるものではない。
【００３４】
撮像部１２は、表示画面に対し位置関係を固定して配置される撮像素子を有し、表示部画面と表示画面の周囲とを含む撮像領域を撮像素子で撮像した撮像信号から、撮像画像を求める。
表示画面の周囲としては、各種定義が適用可能であり、例えば、（１）表示装置の表示画面以外の部分、（２）表示装置の周囲の空間（の全部または一部）、（３）（１）と（２）の組合せ、を適用することができる。
【００３５】
撮像画像を求める際の処理としては、各種の処理が適用可能であり、例えば（１）輝度調整、（２）ホワイトバランス調整、（３）デモザイク（ｄｅ−ｍｏｓａｉｃ）、（４）（１）乃至（３）の組合せ、を行う。
【００３６】
また、撮像部１２は、撮像信号の、複数の画素に対応する全体的な特性を示す情報（以下、センサデータと記載。）を求める。
【００３７】
センサデータの表現形式は、上記色補正パラメータと同様に、実装に合せて各種形式が使用可能である。また、必ずしもセンサデータの表現形式と同じ表現形式を用いる必要はない。
【００３８】
撮像部１２の内部構成については、図２を用いて後述する。
【００３９】
画像処理部１３は、撮像部１２で得られた撮像画像をもとに、欠陥検出部１４における表示欠陥の検出処理に適した画像（以下、解析画像と記載。）を求める。
【００４０】
撮像画像から解析画像を求める際に、画像処理部１３は、撮像部１２の撮像特性、例えば視野角、に起因する撮像画像の歪を補正する。
【００４１】
欠陥検出部１４は、入力画像と、画像処理部１３で得られた解析画像と、をもとに表示部１１の表示欠陥を検出し、欠陥位置情報を求める。
表示欠陥としては、各種定義が可能であり、例えば、（１）輝度が周囲の画素と異なる画素、（２）周囲の画素と同じ色を表示する場合に色が異なる画素、を定義することができる。
欠陥位置情報の求め方については、後述する動作原理の動作原理の記載において説明する。
【００４２】
なお、欠陥位置情報と合せて、欠陥に関するその他の情報、例えば、（１）欠陥の程度に関する情報、（２）欠陥に対する対応を指示するための情報、を通知してもよい。
【００４３】
色補正部１５は、撮像部１２で得られたセンサデータをもとに、表示部１１に対し色補正を指示するためのパラメータ（以下、色補正パラメータと記載。）の値を求める。
【００４４】
図２は、本発明の実施の形態１における、撮像部の内部構成の概要を示す図である。
【００４５】
図において、２１は撮像素子、２２は集光部、２３は受光部、２４は信号処理部、２５は信号統計処理部を示す。
【００４６】
撮像素子２１は、広角の撮像素子であり、集光部２２および受光部２３を有する。また、撮像素子２１は、撮像部１２の外部から入射した光をもとに、撮像信号を求める。
【００４７】
本実施の形態においては、撮像部１２はカラーの撮像画像を求めることが可能な撮像素子を有する。
【００４８】
集光部２２は、撮像部１２の外部から入射した光を集光する。
【００４９】
集光部２２の実装としては、各種光学素子が適用可能であり、例えば（１）魚眼レンズ、（２）球形レンズ、（３）曲面ミラー、が適用可能である。また、集光部を構成する光学素子の数、例えばレンズの数、は、１つでも複数でもよい。
【００５０】
なお、集光部２２は、集光の際に集光条件、例えば（１）焦点距離、（２）レンズの絞り、を制御可能なように構成してもよい。
【００５１】
受光部２３は、集光部２２で集光された光を、電気信号に変換する。この電気信号そのもの、または電気信号をデータに変換したもの、が撮像信号となる。
【００５２】
受光部２３の実装としては、各種光学センサが適用可能であり、例えば（１）ＣＣＤ（Ｃｈａｒｇｅ  Ｃｏｕｐｌｅｄ  Ｄｅｖｉｃｅｓ）センサ、（２）ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）センサ、が適用可能である。
【００５３】
例えば、受光部２３としてＣＣＤセンサを用い、ＣＣＤセンサの各光電変換素子にＲ、Ｇ、Ｂのいずれかの光学フィルタを配置する場合、撮像信号としては、各光電変換素子から出力されＲ、Ｇ、Ｂのいずれかに対応する信号となる。
【００５４】
信号処理部２４は、受光部２３で得られた撮像信号から、撮像画像を求める。
【００５５】
撮像画像を求める際の処理としては、各種の処理が適用可能であり、例えば（１）輝度調整、（２）ホワイトバランス調整、（３）デモザイク、のいずれかまたはそれらの組合せ、を行う。
【００５６】
信号統計処理部２５は、受光部２３で得られた撮像信号から、撮像信号の複数の画素に渡る全体的な特性を示す情報（センサデータ）を求める。
センサデータの具体例および求め方については、後述する動作原理の動作原理の記載において説明する。
【００５７】
なお、センサデータとしては、例えば上記輝度調整およびホワイトバランス調整に関する調整量の値を用いることができるが、複数の画素に対応する全体的な特性を示すものを独自に定義して求めてもよい。
【００５８】
また、センサデータを求める際の複数の画素の範囲としては、撮像素子２１の撮像範囲全体でも、撮像範囲内の特定の部分であってもよい。
【００５９】
本実施の形態では、撮像素子２１の撮像範囲全体の場合を例に説明する。
【００６０】
図３は、本発明の実施の形態１における、表示装置を正面側から見た、外観の概要を示す図（斜視図）である。
【００６１】
図において、１は表示装置、２１は撮像素子、３１は表示装置の外枠、３２は表示画面（または表示画面を構成する表示素子）、を示す。
【００６２】
撮像素子２１は、表示画面３２に対し位置関係を固定して配置される。
【００６３】
図は、表示画面３２の位置が、外枠３１の最前面の位置より奥まって位置するように固定して配置された場合の例となっている。
【００６４】
また、図は、撮像素子２１が、外枠３１の内側の面に固定して配置され、表示画面３２の下側に配置されている場合の例となっている。
【００６５】
また、撮像素子２１は、表示画面と、表示画面の周囲と、を含む領域を撮像可能なように、位置および向きが設定される。
【００６６】
なお、撮像素子２１の配置は、表示画面３２の上側または横側でもよく、下側に限定されない。
【００６７】
図４は、本発明の実施の形態１における、表示装置を正面側から見た外観の変形例の概要を示す図である。
【００６８】
図において、１は表示装置、２１は撮像素子、３１は表示装置の外枠、３２は表示画面（または表示画面を構成する表示素子）、３３は固定用治具、を示す。
【００６９】
図においては、固定用治具３３により、外枠３１に、撮像素子２１が表示画面３２に対し位置関係を固定して撮像素子２１を配置する場合の例となっている。
【００７０】
次に、本実施の形態の表示装置の動作原理について説明する。
【００７１】
なお、本実施の形態においては、屋外など外光が表示画面３２に当たる場所に表示装置が設置され、また、撮像部１２は主に表示部１１の表示画面３２を撮像する、場合を例に説明をする。
【００７２】
また、表示画面３２は、図３に示す長方形である場合を例に説明する。
【００７３】
また、撮像信号として、Ｒ、Ｇ、Ｂに関する信号またはデータが得られ、色補正パラメータとしてＹ、Ｃｂ、Ｃｒに関するパラメータを求める場合、を例に説明する。
【００７４】
表示部１１は、入力画像を表示画面に表示する。
【００７５】
撮像素子２１は、表示画面３２と、表示画面３２の周囲と、を含む領域を撮像する。
【００７６】
撮像の際、集光部２２において集光された光が、受光部２３において撮像信号に変換される。
【００７７】
表示装置は外光が表示画面３２に当たる場所に設置され、撮像部１２は表示画面３２を撮像しているので、撮像素子２１には、（１）表示画面３２からの表示光と、外光が表示画面３２に当たって反射した外光と、が入射する、または、（２）外光の影響により色が変化した表示光が入射する。
【００７８】
信号統計処理部２５は、複数の画素に渡る範囲における撮像信号の全体的な特性、を示す情報を求める。
【００７９】
詳しくは、撮像素子２１の撮像範囲全体におけるＲ、Ｇ、Ｂの値の平均値をそれぞれ求める。
【００８０】
また、信号統計処理部２５は、得られたＲ、Ｇ、Ｂ毎の平均値の情報を信号処理部２４に通知する。
【００８１】
なお、その他の統計値、例えば黒レベルの平均値、を合せて通知するよう構成してもよい。
【００８２】
また、信号統計処理部２５は、得られたＲ、Ｇ、Ｂ毎の平均値の情報を、センサデータとして色補正部１５に通知する。
【００８３】
信号処理部２４は、表示画面１１と表示画面の周囲とを含む撮像領域を撮像素子２１で撮像した際の撮像信号から、撮像画像を求める。
【００８４】
詳しくは、撮像素子２１の受光部２３で得られたＲ、Ｇ、Ｂ毎の撮像信号と、信号統計処理部２５で得られたＲ、Ｇ、Ｂ毎の平均値を元に、例えば輝度調整を行い、撮像画像を求める。
【００８５】
撮像画像を表すためのデータは、例えばＲＢＧ表現を用いる場合は画素単位のＲ、Ｇ、Ｂの値を有する。Ｒ、Ｇ、Ｂの値の実装としては、例えば８ｂｉｔ階調の場合、各々０〜２５５の範囲をとる。
【００８６】
広角の撮像素子２１により撮像するため、撮像画像中の表示画面３２に対応する画像領域の形状は、図３に示す長方形ではなく、歪んだ形状となっている。
【００８７】
画像処理部１３は、撮像部１２の信号処理部２４で得られた撮像画像をもとに、解析画像を求める。
【００８８】
詳しくは、例えば、まず広角の撮像素子２１に起因する撮像画像の歪を補正する歪補正処理などの画像処理を行い、撮影画像中の表示画面３２に対応する画像領域が、表示画面３２と正体した画像となるよう画角補正を行う。
また、入力画像と同じ解像度の画像を作成するよう画像処理を行う。
【００８９】
なお、解析画像としては、表示欠陥の位置の特定に必要な精度であればよく、例えば（１）画素単位、または（２）複数の画素を有する表示ユニットの単位、で表示欠陥の位置を特定できる精度になるよう画像処理を行なうように構成してもよい。
【００９０】
また、歪補正処理は、撮像画像全体に対し行なっても、表示画面３２に対応する画像領域に対して行なってもよく、実装形態によって異ってもよい。例えば表示画面３２に対応する画像領域に対して行なう場合、歪補正処理前に表示画面３２に対応する画像領域のみを抽出し、抽出した画像領域に対し歪補正処理を行なってもよい。
【００９１】
欠陥検出部１４は、入力画像と解析画像とをもとに、表示欠陥の位置を検出する。
【００９２】
検出方法としては、各種方法が適用可能であり、例えば、（１）入力画像全体と解析画像全体とを比較する、（２）入力画像および解析画像を、対応可能な複数の領域に分割し、分割した領域毎に両画像を比較する、ことにより行なう。
【００９３】
画像を分割する場合の分割方法としては、例えば（１）表示装置の表示ユニットの大きさ、（２）表示画面全体の大きさ、に応じて分割数を決めて分割する。分割数は、固定であっても変更可能であってもよく、また、予め決められても、表示装置が決定してもよい。
【００９４】
比較方法としては、各種方法が適用可能であり、例えば両画像のエッジを抽出して比較することにより行なう。
【００９５】
詳しくは、例えばソベル（Ｓｏｂｅｌ）フィルタを適用して両画像内のエッジを抽出し、両画像のエッジの類似度を調べ、類似度が一定以値より低い場合に表示欠陥が存在すると判断する。
【００９６】
また、例えば、比較する分割領域毎に輝度または色度のヒストグラムを求め、その中央値が他の画像領域と異なるかどうかを調べ、一定値以上異なる場合に欠陥が存在すると判断する。
【００９７】
表示欠陥が存在する場合、欠陥検出部１４は、欠陥位置情報を表示部１１に通知する。
【００９８】
表示部１１は、欠陥検出部１４で得られた欠陥位置情報をもとに、表示装置の実装形態に応じた制御、例えば（１）欠陥位置情報を表示装置の管理者等に通知するために表示画面に表示する制御、（２）欠陥に対応する表示素子を発光させない制御、（３）位置情報以外の情報、例えば表示欠陥の程度に関する情報、と組合せて発光条件を補正する制御、を行なう。
【００９９】
一方、色補正部１５は、信号統計処理部２５で得られたセンサデータ（本実施の形態ではＲ、Ｇ、Ｂ毎の撮像信号の平均値）をもとに、色補正パラメータを求める。
【０１００】
色補正パラメータを求める方法としては、例えば以下のようにする。
【０１０１】
まず、センサデータをもとに、平均値の比Ｒ／ＧおよびＢ／Ｇを求める。なお、ここでは、比Ｒ／Ｇおよび比Ｂ／Ｇは０〜１の値をとるものとする。
【０１０２】
次に、色補正部１５は、色補正パラメータとして、Ｃｂ０およびＣｒ０を以下の式から求める。
【０１０３】
Ｃｂ０  ＝  （Ｂ１−Ｂ２）＊ ２５５              （式１）
Ｃｒ０  ＝  （Ｒ１−Ｒ２）＊ ２５５              （式２）
ここで、Ｂ１はセンサデータから求めた比Ｂ／Ｇ、Ｒ１はセンサデータから求めた比Ｒ／Ｇ、Ｂ２は基準とする外光の色に対応する比Ｂ／Ｇ、Ｒ２は基準とする外光の色に対応する比Ｒ／Ｇである。  なお、基準値は固定値でも変更可能な値でもよい。
【０１０４】
また、２５５は表示部１１において色の制御用パラメータ（Ｙ、Ｃｂ、Ｃｒ）を８ｂｉｔ階調ずつで表現する場合に用いる値である。他の分解能、例えば１２ｂｉｔずつ、の場合に異なる値を用いてもよい。
【０１０５】
表示部１１は、色補正部１５で得られた色補正パラメータ（Ｃｂ０、Ｃｒ０）をもとに、表示画面３２に表示する色を補正する。
【０１０６】
具体的には、例えば、表示部１１における補正前の色をＹ、ＣｂおよびＣｒ、補正後の色をＹ’、Ｃｂ’およびＣｒ’とし、
Ｙ’    ＝  Ｙ                                  （式３）
Ｃｂ’  ＝  Ｃｂ  ＋  Ｃｂ０                    （式４）
Ｃｒ’  ＝  Ｃｒ  ＋  Ｃｒ０                    （式５）
により補正する。
【０１０７】
以上のように、本実施の形態の表示装置によれば、１つの表示装置に表示部１１、撮像部１２、欠陥検出部１４および色補正部１５を備えるので、表示装置の表示欠陥の検出および色補正を、簡易に行なうことができる。
【０１０８】
また、外光による影響を含めた色補正、例えば、夕焼け時に外光の影響で表示画面全体が赤みを帯びている場合に、表示画面を見る人が入力画像に近い色合いの表示画像を見ることができるよう赤みを是正する色補正、を簡易に行なうことができる。
【０１０９】
また、外光の色が時間的に変化した場合にも、簡易に色補正することができる。
【０１１０】
また、欠陥検出及び色補正に必要な表示部１１、撮像部１２、欠陥検出部１４および色補正部が、表示装置に備わっているので、表示欠陥の検出および色補正を自動化することができ、より簡易に行なうことができる。
【０１１１】
また、広角の撮像素子２１を用いているので、撮像素子２１を表示装置本体に近接して配置することができ、表示装置の設置スペースの増加を抑えると共に、1つの撮像画像から表示欠陥検出および色補正をすることができ処理量の増加を抑えることができる。
【０１１２】
また、広角の撮像素子２１を用いているので、表示画面３２を撮影する際に、表示画面３２を見る人の邪魔にならない位置に撮像素子２１を配置することができる。
【０１１３】
また、撮像素子２１を図３のように表示装置１本体に設置する場合は、表示装置１の設置スペースの増加をさらに抑えることができるとともに、図４に示した固定用治具３３が不要となり表示装置の構成を簡素化できる。また、欠陥検出および色補正のための検査専用のスペースが不要となる。
【０１１４】
また、表示画面３２と表示画面３２の周囲とを含む撮像領域を１つの撮像素子１２で撮像するよう構成し、表示欠陥検出のための撮像素子と、色補正のための撮像素子と、を１つの撮像素子２１で兼用しているので、表示装置の構成を簡素化することができる。
【０１１５】
また、受光部２２として魚眼レンズ、球面レンズ、曲面ミラーを用いる場合は、光学系の構成をより簡素化することができる。
【０１１６】
また、色補正パラメータとして、表示画面３２を見る人の主観に対応付けしやすいＹＣｂＣｒ表現に関するパラメータを求めるようにしているので、他の表現形式に比べ、表示画面３２を見る人の主観の変化に沿った色補正をすることが容易となる。
【０１１７】
なお、撮像素子２１の実装としては、１つの集光部２２および１つの受光部２３を有する撮像素子で広角の撮像範囲を撮像可能であることが望ましいが、表示画面３２と表示画面３２の周囲とを含む撮像領域を撮像可能であればよく、図２の構成に限定されない。
例えば、（１）撮像範囲を分割した複数の光学レンズを有する受光部２２と、１つのＣＣＤセンサを有する受光部２３により構成する、（２）撮像範囲を分割した複数の撮像素子２１により広角の撮像範囲を撮像可能なように構成する、ように構成してもよい。
その場合、撮像素子２１を表示装置の複数の位置に配置してもよい。
【０１１８】
また、本発明の実施の形態おいては、撮像素子２１が１つの場合としているが、欠陥検出に必要な表示画面が大きい場合に、表示画面３２を分割して順次処理（または分散処理）してもよく、上記の場合に限定されない。
【０１１９】
また、受光部２２の向きを変更可能な撮像素子２１を用いてもよい。
【０１２０】
また、本発明の実施の形態においては、撮像素子２１を表示装置１に固定されているが、表示画面３２との位置関係が固定して配置されればよく、図の構成および配置に限定されない。なお、ここで「固定」とは、（１）取外し不可能であること、（２）位置関係が可変でないこと、を意味するものではない。
【０１２１】
また、本発明の実施の形態においては、表示画面３２は図３に示す長方形の場合を例に説明したが、他の形状であってもよく、実施の形態の形状に限定されない。
【０１２２】
また、本発明の実施の形態においては、解析画像として、比較に必要とされる検出レベル、例えば画素単位（あるいは表示ユニット単位）に応じて表示欠陥の位置を特定できるレベル、になるよう画像処理を行なうようにしているが、例えば（１）撮像画像が検出に十分な解像度を有する場合、（２）表示画面３２に対応する範囲が歪んだままでも検出可能な場合、には必ずしも全ての処理を行なう必要はない。
【０１２３】
また、本発明の実施の形態においては、センサデータとしてＲ、Ｇ、Ｂ毎の平均値を求めているが、Ｒ、Ｇ、Ｂの関係が分かればよく、例えば平均値の比Ｒ／Ｇおよび比Ｂ／Ｇを表すものでもよい。また、実装においては、他の色表現形式を用いてもよい。
【０１２４】
また、本発明の実施の形態においては、受光部２３で得られた撮像信号をもとにセンサデータを求めているが、外光の影響を考慮して色補正できればよく、例えば専用の照度センサを別途撮像素子２１内に設けてその信号を用いるなど、撮像信号に限定されない。
【０１２５】
図５は、本発明の実施の形態１における、撮像部の変形例の内部構成の概要を示す図である。
【０１２６】
図において、１２は撮像部、２１は撮像素子、２２は集光部、２３は受光部、２４は信号処理部、５１は画像統計処理部を示す。図の見方は上記図２と同様である。
【０１２７】
図２と異なる点は、図２の信号統計処理部２５が、画像統計処理部５１に置き換わっている点である。
【０１２８】
画像統計処理部５１は、信号処理部２４で得られた撮像画像をもとに、センサデータを求める。
【０１２９】
一般的に、撮像信号による表現可能な色のダイナミックレンジは、撮像画像で表現可能なダイナミックレンジより大きい場合が多いので、センサデータを求めるための処理回路の規模を低減することができる。
【０１３０】
また、本発明の実施の形態おいては、画像処理部１３において表示画面に対応する画像領域を抜き出して解析画像を作成しているが、例えば、（１）欠陥検出部１４において表示画面に対応する画像領域を抜き出して比較する、（２）欠陥検出部１４において表示画面に対応する画像領域を認識して比較する、ようにしてもよい。
【０１３１】
また、本発明の実施の形態おいては、式３においてＹ’＝Ｙとしているが、センサデータのＧの値に応じた補正パラメータＫＹを追加し、表示部１１においてＹ’＝ＫＹ＊Ｙにより補正してもよい。
【０１３２】
ＫＹの値としては、例えば、Ｇの値が基準値以上の場合、すなわち明るい場合、はＫＹ＜１.０とし、Ｇの値が基準値より小さい場合、すなわち暗い場合、はＫＹ＞１.０を用いることができる。例えば表示装置の設置状況に依存して基準値の値およびその設定の仕方を変えることにより、多様な状況に対応して表示装置を実装することができる。
【０１３３】
実施の形態２.
【０１３４】
以下に、本発明の各実施の形態２について図６および図８を用いて説明する。
【０１３５】
なお、上記実施の形態１の構成と同一または同様な要素については、その説明を省略する場合がある。
【０１３６】
図６は、本発明の実施の形態２における、表示装置の内部構成の概要を示す図である。図の見方は上記実施の形態１と同様である。
【０１３７】
図において、１１は表示部、１２は撮像部、１３は画像処理部、１４は欠陥検出部、１５は色補正部、点線の矢印は光、実線の矢印は画像、信号、情報、のいずれかまたはそれらの組合せを示す。
【０１３８】
上記実施の形態１の図１と異なる点は、画像処理部１３が、解析画像として解析画像１および解析画像２を求め、色補正部１５が、画像処理部１３からの解析画像２をもとに色補正パラメータを求めている点である。
【０１３９】
また、撮像部１２に、外光が直接入射する場合の例となっている。
【０１４０】
画像処理部１３の内部構成および動作原理については後述する。
【０１４１】
図７は、本発明の実施の形態２における、撮像部１２の内部構成の概要を示す図である。図の見方は、上記実施の形態１の図２と同様である。
【０１４２】
図２と異なる点は、信号統計処理部２５からセンサデータが出力されていない点である。
【０１４３】
図８は、本発明の実施の形態２における、画像処理部１３の内部構成の概要を示す図である。
【０１４４】
図において、８１は補正処理部、８２は識別部を示す。
【０１４５】
補正処理部８１は、上記実施の形態１の画像処理部１３と同様に、撮像部１２で得られた撮像画像に対し、広角の撮像素子２３に起因する撮像画像の歪を補正する歪み補正処理、などの画像処理を行う。
【０１４６】
識別部８２は、補正処理部８１で画像処理された撮像画像をもとに、欠陥検出部１４における表示欠陥の検出に適した画像（解析画像１）を求める。
【０１４７】
例えば、補正処理部８１で処理された撮像画像に対し、画像識別を行って表示画面３２に対応する画像領域を抜き出し、表示画面３２と正対した画像になるよう画角補正を行い、解析画像１を求める。
【０１４８】
また、識別部８２は、補正処理部８１で画像処理された撮像画像をもとに、表示画面以外に対応する画像領域、例えば空に対応する画像領域、を抜き出し、その領域に対応する画像（解析画像２）として求める。
【０１４９】
したがって、本実施の形態の画像処理部１３は、上記実施の形態１と同様な処理の他に、解析画像２を求める処理を行う。
【０１５０】
次に、本実施の形態の表示装置の動作原理について、上記実施の形態１と異なる点について主に説明する。
【０１５１】
欠陥検出部１４は、上記実施の形態１と同様にして、入力画像と解析画像１とをもとに、表示欠陥を検出する。
【０１５２】
色補正部１５は、画像処理部１３で得られた解析画像２をもとに、色補正パラメータを求める。
【０１５３】
色補正パラメータを求める方法としては、例えば以下のようにする。
【０１５４】
まず、解析画像２内の複数の画素に渡る範囲における全体的な特性、を示す情報を求める。
【０１５５】
複数の画素に渡る範囲における全体的な特性を示す情報としては、例えば、解析画像２がＲＧＢ表現形式のデータで表される場合、画素毎にＲ、Ｇ、Ｂの平均値を求める。
【０１５６】
次に、上記実施の形態１の式１および式２を用いて、色補正パラメータとしてＣｂ０およびＣｒ０を求める。
【０１５７】
表示部１１は、上記実施の形態１と同様に、色補正部１５で得られた色補正パラメータ（Ｃｂ０、Ｃｒ０）をもとに、表示画面３２に表示する色を補正する。
【０１５８】
以上のように、本実施の形態の表示装置によれば、上記実施の形態１と同様な効果を奏する。
【０１５９】
また、表示画面以外に対応する撮像領域（例えば空に対応する撮像領域）から外光の状況を直接把握するように構成しているので、色補正の精度を向上させることができる。
【０１６０】
また、本発明の実施の形態おいては、画像処理部１３において表示画面以外に対応する画像領域を抜き出して解析画像２を作成しているが、例えば、（１）欠陥検出部１４において表示画面以外に対応する画像領域を抜き出して比較する、（２）欠陥検出部１４において単に表示画面以外に対応する画像領域を認識して比較する、ようにしてもよい。
実施の形態３.
【０１６１】
以下に、本発明の各実施の形態３について図９及び図１０を用いて説明する。
【０１６２】
なお、上記実施の形態１の構成および動作と同一または同様な要素については、その説明を省略する場合がある。
【０１６３】
図９は、本発明の実施の形態３における、表示装置の内部構成の概要を示す図である。図の見方は上記各実施の形態と同様である。
【０１６４】
図において、１１は表示部、１２は撮像部、１３は画像処理部、１４は欠陥検出部、１５は色補正部、９１は人物統計処理部、点線の矢印は光、実線の矢印は画像、信号、情報、のいずれかまたはそれらの組合せを示す。
【０１６５】
上記実施の形態１の図１と異なる点は、（１）撮像部１２が、表示部１１以外に対応する画像領域内において表示画面３２を見る人物を撮像できるように、位置よび向きが設定されている点、（２）画像処理部１３が、解析画像として解析画像１および解析画像３を求めている点、（３）画像処理部１３と色補正部１５の間に人物統計処理部９１が挿入されている点、（４）色補正部１５が統計処理部から９１の統計情報と、撮像部１２からのセンサデータと、をもとに色補正パラメータを求めている点である。
【０１６６】
人物統計処理部９１の動作原理については後述する。
【０１６７】
図１０は、本発明の実施の形態３における、画像処理部の内部構成の概要を示す図である。
【０１６８】
図において、８１は補正処理部、８２は識別部を示す。
【０１６９】
補正処理部８１は、上記実施の形態１の画像処理部１３、および上記実施の形態２の補正処理部８１、と同様に、撮像部１２で得られた撮像画像に対し、広角の撮像素子２１に起因する撮像画像の歪を補正する歪補正処理、などの画像処理を行う。
【０１７０】
識別部８２は、補正処理部８１の処理された撮像画像に対し、画像識別を行い、欠陥検出部１４における表示欠陥の検出に適した画像（解析画像１）を求める。
【０１７１】
また、識別部８２は、補正処理部８１で処理された撮像画像内の、表示画面以外の画像領域に対し顔認識を行い、顔の範囲に対応する画像（解析画像３）として求める。
【０１７２】
詳しくは、例えば、目、鼻など顔の特徴部分についてパターンマッチングを行うことにより顔の範囲を認識して、解析画像３として求める。
【０１７３】
したがって、本実施の形態の画像処理部１３は、上記実施の形態１と同様な処理のほかに、撮像画像をもとに解析画像３を求める処理を行う。
【０１７４】
次に、本実施の形態の表示装置の動作原理について、上記実施の形態１と異なる点について主に説明する。
【０１７５】
欠陥検出部１４は、上記実施の形態１と同様にして、入力画像と、画像処理部１３で得られた解析画像１と、をもとに表示部１１の表示欠陥を検出し、欠陥位置情報を求める。
【０１７６】
人物統計処理部９１は、解析画像３を分析し、人物の年齢判定を行う。判定方法としては各種方法が適用可能である。
【０１７７】
詳しくは、例えば、髪毛の範囲の形状および顔の輪郭の形状を識別して性別を求め、また、エッジ検出処理を行なって顔の皺の状態を把握し、基準データ、例えば男女別及び年齢別の皺の配置および数、をもとに年齢を求める。
【０１７８】
皺の状態としては、各種状態が規定可能であり、例えば、（１）皺の多少の程度、（２）目周辺の皺の分布、を用いることができる。
【０１７９】
また、人物統計処理部９１は、判定結果として統計情報を求める。統計情報としては各種統計値が適用可能であり、例えば（１）平均値、（２）ヒストグラム、（３）中央値、（４）最大値、が適用可能である。
【０１８０】
色補正部１５は、人物統計処理部９１で得られた統計情報と、撮像部１２からのセンサデータと、をもとに色補正パラメータを求める。
【０１８１】
色補正パラメータを求める方法としては、例えば以下のようにする。
【０１８２】
以下では、センサデータ及び色補正パラメータの表現形式は上記実施の形態と同様の場合を例に説明する。また、色補正として、輝度に対応するパラメータ（Ｙ）も補正する。
【０１８３】
まず、上記実施の形態１と同様にして、センサデータをもとに、色補正パラメータＣｂ０およびＣｒ０を求める。
【０１８４】
また、例えば高齢者がいる場合、高齢者に対応する第１調整係数ＫＣ１及び第２調整係数ＫＹ１を選択する。
【０１８５】
また、センサデータのＧの値の大きさに応じた第３調整係数ＫＹ２を選択する。
【０１８６】
ＫＹ２の値としては、例えば、Ｇの値が基準値以上の場合、すなわち明るい場合、はＫＹ２＜１.０とし、Ｇの値が基準値より小さい場合、すなわち暗い場合、はＫＹ２＞１.０を用いる。
【０１８７】
そして、以下の式にしたがって、色補正パラメータＫＣおよびＫＹを求める。
【０１８８】
ＫＣ  ＝  ＫＣ１                                （式６）
ＫＹ  ＝  ＫＹ１  ＊  ＫＹ２                    （式７）
なお、高齢者がいない場合、または人がいない場合などにおけるデフォルト値はＫＣ１＝ＫＹ１＝ＫＹ２＝１とする。
【０１８９】
したがって、本実施の形態においては、色補正パラメータとしてＣｂ０、Ｃｒ０、ＫＣ、ＫＹを求める。
【０１９０】
表示部１１は、色補正部１５で得られた色補正パラメータをもとに、表示画面３２に表示する色を補正する。
【０１９１】
具体的には、例えば、補正前の色の色制御パラメータをＹ、Ｃｂ、Ｃｒ、補正後をＹ、Ｃｂ’およびＣｒ’とし、
Ｙ’    ＝  ＫＹ  ＊  Ｙ                        （式８）
Ｃｂ’  ＝  ＫＣ  ＊  （Ｃｂ  ＋  Ｃｂ０）      （式９）
Ｃｒ’  ＝  ＫＣ  ＊  （Ｃｒ  ＋  Ｃｒ０）      （式１０）
により色補正を行う。
【０１９２】
以上のように、本実施の形態の表示装置によれば、上記実施の形態１と同様な効果を奏する。
【０１９３】
また、本実施の形態の表示装置によれば、表示画面３２を見る人物の年齢を求めているので、例えば、（１）表示画面３２を見る人物にとって見やすい色で表示するといった、年齢構成に応じた色補正、また例えば（２）表示画面３２を見る人物にとって見やすい色で表示するための色補正、が可能である。
【０１９４】
なお、本発明の実施の形態おいては、上記実施の形態１に記載の各種変形を適用してもよい。
【０１９５】
また、統計情報としての年齢の値は、推定値であってもよい。また、年齢の範囲を区分けして区分け毎の代表年齢を求めてもよい。
【０１９６】
また、本発明の実施の形態おいては、高齢者が含まれる場合に色補正を行う場合の例を説明したが、各種調整係数の規定方法が適用可能であり、例えば、（１）年齢構成別に色調整係数ＫＣ１、第１輝度調整係数ＫＹ１、第２輝度調整係数ＫＹ２を選択する、（２）統計情報として性別情報をさらに用い、性別別に上記係数を設定する、方法が適用可能である。
実施の形態４.
【０１９７】
以下に、本発明の各実施の形態４について図１１及び図１２を用いて説明する。
【０１９８】
なお、上記各実施の形態の構成および動作原理と同一または同様なものについては、その説明を省略する場合がある。
【０１９９】
図１１は、本発明の実施の形態４における、表示装置の内部構成の概要を示す図である。図の見方は、上記各実施の形態と同様である。
【０２００】
図において、１１は表示部、１２は撮像部、１３は画像処理部、１４は欠陥検出部、１５は色補正部、９１は人物統計処理部、点線の矢印は光、実線の矢印は画像、信号、情報、のいずれかまたはそれらの組合せを示す。
【０２０１】
図において上記実施の形態３の図９と異なる点は、（１）画像処理部１３が解析画像として解析画像１、解析画像２および解析画像３を求めている点、（３）色補正部１５が人物統計処理部９１で得られた統計情報と、画像処理部１３で得られた解析画像２と、をもとに色補正パラメータを求めている点である。
【０２０２】
ここで、解析画像１および解析画像２は、上記実施の形態２に記載の解析画像１および解析画像２と同様な画像であり、解析画像３は、上記実施の形態３の解析画像３と同様な画像である。
【０２０３】
図１２は、本発明の実施の形態４における、画像処理部の内部構成の概要を示す図である。図の見方は、上記各実施の形態と同様である。
【０２０４】
図において、８１は補正処理部、８２は識別部を示す。
【０２０５】
識別部８２は、上記実施の形態２及び上記実施の形態３の識別部の処理を合せた処理を行い、解析画像１、解析画像２および解析画像３を求める。
【０２０６】
したがって、識別部８２は、上記実施の形態２における識別部８２の処理と上記実施の形態３における識別部８２の処理を行う。
【０２０７】
色補正部１５は、人物統計処理部９１で得られた統計情報と、識別部８２で得られた解析画像２と、をもとに色補正パラメータを求める。
【０２０８】
すなわち、上記実施の形態３においては、センサデータと統計情報とをもとに色補正部１５が色補正パラメータを求めているが、本実施の形態では、上記実施の形態２と同様に解析画像２内の複数の画素に渡る範囲における全体的な特性を示す情報を求めて、それを上記実施の形態３のセンサデータの代わりに用いる。
【０２０９】
詳しくは、複数の画素に渡る範囲における全体的な特性を示す情報として、例えば、上記実施の形態２と同様に、解析画像２の表現形式がＲＧＢ表現の場合にＲ、Ｇ、Ｂ毎の平均値を求める。そして、上記実施の形態３のセンサデータであるＲ、Ｇ、Ｂの平均値の代わりに、解析画像２内の複数の画素に渡る範囲におけるＲ、Ｇ、Ｂの平均値を用いて、色補正パラメータを求める。
【０２１０】
以上のように、本実施の形態の表示装置によれば、上記実施の形態１と同様な効果を奏する。
【０２１１】
また、上記実施の形態３と同様に、表示画面３２を見る人の年齢を求めているので、例えば、（１）表示画面３２を見る人物にとって見やすい色で表示するといった、年齢構成に応じた色補正、また例えば（２）表示画面３２を見る人にとって見やすい色で表示するための色補正、が可能である。
【０２１２】
なお、本発明の実施の形態おいては、上記各実施の形態に対応する構成要素および処理に関する各種変形が適用してもよい。
【０２１３】
実施の形態５.
【０２１４】
以下に、本発明の各実施の形態５について図１３を用いて説明する。
【０２１５】
図１３は、本発明の実施の形態５における、表示装置の内部構成の概要を示す図である。
【０２１６】
図において、１３０は表示装置、１３１はカメラ（Ｃａｍｅｒａ）、１３２はＣＣＤセンサ、１３３はレンズ（Ｌｅｎｓ）、１３４は表示器、１３５はバス（Ｂｕｓ）、１３６はＣＰＵ（Ｃｅｎｔｒａｌ  Ｐｒｏｃｅｓｓｉｎｇ  Ｕｎｉｔ）、１３７はＲＡＭ（Ｒａｎｄｏｍ  Ａｃｃｅｓｓ  Ｍｅｍｏｒｙ）、１３８はＲＯＭ（Ｒｅａｄ  Ｏｎｌｙ  Ｍｅｍｏｒｙ）、１３９は出力インターフェース（Ｏｕｔｐｕｔ  Ｉｎｔｅｒｆａｃｅ）、１４０９は制御用インターフェース（Ｃｏｎｔｒｏｌ  Ｉｎｔｅｒｆａｃｅ）を示す。
【０２１７】
なお、図示しない構成要素を含む広義の表示装置を各種定義することも可能であり、例えば、（１）電源、（２）制御回路、（３）通信手段、（４）各種インターフェース、のいずれかまたはそれらの組合せを含むことが可能である。
【０２１８】
カメラ１３１は、撮像画像を生成する。
【０２１９】
ＣＣＤセンサは、入射した光を電気信号に変換し、撮像信号を生成する。
【０２２０】
なお、その他の撮像用の光学センサを変わりに用いてもよい。
【０２２１】
表示器１３４は、例えば液晶ディスプレーであり、表示画面に画像を表示する。
【０２２２】
バス１３５は、構成要素間を接続し、各種信号、データ、情報のやり取りに用いる。
【０２２３】
なお、図に示した接続関係に限定されず、実装形態によって異なってよい。
【０２２４】
ＣＰＵ１３６は、各種処理、例えば（１）画像処理、（２）制御処理、を行なう。
【０２２５】
ＲＡＭ１３７およびＲＯＭ１３８は、各種情報を記憶する。
【０２２６】
出力インターフェース１３９は、表示装置１３０の外部へ各種情報を出力する。
【０２２７】
制御用インターフェース１４０は、表示装置１３０の外部と各種制御情報をやり取りする。
【０２２８】
本実施の形態においては、図１３に示した構成要素と、上記各実施の形態の図に示したいずれかまたは複数の構成要素と、を対応させることができる。
【０２２９】
例えば、主にカメラ１３１を、撮像部１２に対応させることができる。その場合、レンズ１３３は集光部２２に、ＣＣＤセンサ１３２は受光部２３に対応させることができる。
【０２３０】
また、例えば、主にＣＰＵ１３６を、画像処理部１３、欠陥検出部１４、色補正部１５、人物統計処理部９１、の一部又は全部に対応させることができる。
【０２３１】
表示装置１３０の動作原理の概要については、上記各実施の形態と同様であるので、その説明を省略する。
【０２３２】
以上のように、本実施の形態の表示装置によれば、対応させる実施の形態に応じた効果と同じ効果または同様な効果を奏する。
【０２３３】
なお、本実施の形態のＣＰＵ１３６は、図の説明では単にＣＰＵとしているが、実装の形態として各種実装形態が可能であり、演算に代表される各種処理機能を実現可能であればよく、例えば、（１）マイクロプロセッサ（Ｍｉｃｒｏｐｒｏｃｅｓｓｏｒ）、（２）ＦＰＧＡ（Ｆｉｅｌｄ  Ｐｒｏｇｒａｍｍａｂｌｅ  Ｇａｔｅ  Ａｒｒａｙ）、（３）ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、（４）ＤＳＰ（Ｄｉｇｉｔａｌ  Ｓｉｇｎａｌ  Ｐｒｏｃｅｓｓｏｒ）であってもよい。
【０２３４】
また、本実施の形態では、ＣＰＵ１３６は１つのみを図に記載しているが、実装の形態として各種実装形態が可能であり、例えば、（１）複数のＣＰＵを有して、複数の処理機能、例えば各種制御処理と画像データ演算処理、を異なるＣＰＵで処理をする、（２）複数のＣＰＵが連携して１つの処理をする、よう実装するよう構成してもよい。
【０２３５】
また、各種処理は、（１）アナログ処理、（２）デジタル処理、（３）両者の混在処理、のいずれであってもよい。さらに、（１）ハードウェアによる実装、（２）ソフトウェア（プログラム）による実装、（３）両者の混在による実装、などが可能である。
【０２３６】
また、本実施の形態のＲＡＭ１３７は、図において単にＲＡＭと記載しているが、実装の形態として各種実装形態が可能であり、データを揮発的に記憶・保持可能なものであればよく、例えば、（１）ＳＲＡＭ（Ｓｔａｔｉｃ  ＲＡＭ）、（２）ＤＲＡＭ（Ｄｙｎａｍｉｃ  ＲＡＭ）、（３）ＳＤＲＡＭ（Ｓｙｎｃｈｒｏｎｏｕｓ  ＤＲＡＭ）、（４）ＤＤＲ−ＳＤＲＡＭ（Ｄｏｕｂｌｅ  Ｄａｔａ  Ｒａｔｅ  ＳＤＲＡＭ）であってもよい。また、その数も１つに限定されない。
【０２３７】
また、（１）ハードウェアによる実装、（２）ソフトウェアによる実装、（３）両者の混在による実装、などが可能である。
【０２３８】
また、本実施の形態のＲＯＭ１３８は、図において単にＲＯＭと記載しているが、実装の形態として各種実装形態が可能であり、データを記憶保持可能なものであればよく、例えば、（１）ＥＰＲＯＭ（Ｅｌｅｃｔｒｉｃａｌ  Ｐｒｏｇｒａｍｍａｂｌｅ  ＲＯＭ）、（２）ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、であってもよい。また、その数も１つに限定されない。
【０２３９】
また、図のその他の各構成要素についても、（１）ハードウェアによる実装、（２）ソフトウェアによる実装、（３）両者の混在による実装、などが可能である。
【０２４０】
なお、上記各実施の形態においては、色補正部１５の動作において入力画像を用いていないが、入力画像を用いて色補正パラメータを求めるように構成してもよい。
【０２４１】
例えば、上記実施の形態１において、入力画像としてテストパターン、例えば全面白色の画像、を用いて、ＲＧＢ表現に関する色補正パラメータ、
ＫＲ  ＝  Ｒ２／Ｒ１                          （式１１）
ＫＧ  ＝  Ｇ２／Ｇ１                          （式１２）
ＫＢ  ＝  Ｂ２／Ｂ１                          （式１３）
を求める。ここで、Ｒ１、Ｇ１、Ｂ１はセンサデータ、Ｒ２、Ｇ２、Ｂ２は入力画像のＲＧＢ表現の各平均値を示す。
【０２４２】
表示器１１は、例えば、補正前の色の制御用パラメータ（ＲＧＢ表現）をＲ、Ｇ、Ｂ、補正後をＲ’、Ｇ’、Ｂ’とし、
Ｒ’  ＝  ＫＲ  ＊  Ｒ                        （式１４）
Ｇ’  ＝  ＫＧ  ＊  Ｇ                        （式１５）
Ｂ’  ＝  ＫＢ  ＊  Ｂ                        （式１６）
により色補正を行う。なお、実装においては他の色表現形式を用いてもよい。
【０２４３】
また、実線の矢印で示される画像、信号、データ、情報の内容は、表示装置の内部構成の分割の仕方によってその属性が変わることがあり、その場合、明示的に実装されるものか黙示的に実装されるものか、また、明示的に規定されるものか否か、といった属性が異なってもよい。また、上記各実施の形態に記載した以外の画像、信号、データ、情報を含んでいてもよい。
【０２４４】
また、上記各実施の形態における各種処理または動作は、（１）実質的に等価（または相当する）処理（または動作）に変形して実装する、（２）実質的に等価な複数の処理に分割して実装する、（３）複数のブロックに共通する処理はそれらを含むブロックの処理として実装する、（４）あるブロックがまとめて実装する、など本発明の課題及び効果の範囲で各種変形が可能である。
【０２４５】
また、上記各実施の形態における各種選択肢および変形例を、他の実施の形態に適用し、新たな実施の形態とすることができる。
【０２４６】
また、表示装置の実装において全ての処理を行なう必要はない場合には、装置としてその処理に必要な機能、回路等、を備えない構成としてもよい。
【符号の説明】
【０２４７】
１  表示装置、１１  表示部、１２撮像部、１３  画像処理部、１４  欠陥検出部、１５  色補正部、２１撮像素子、２２  集光部、２３  受光部、２４  信号処理部、２５  信号統計処理部、３１  外枠、３２  表示画面（または表示画面を構成する表示素子）、５１  画像統計処理部、８１  補正処理部、８２  識別部、９１  人物統計処理部、１３０  表示装置、１３１  カメラ、１３２  ＣＣＤセンサ、１３３  レンズ、１３４  表示器、１３５  バス、１３６  ＣＰＵ、１３７  ＲＡＭ、１３８  ＲＯＭ、１３９  出力インターフェース、１４０  制御用インターフェース
【図１】
2015194567.tif 000003
【図２】
2015194567.tif 000004
【図５】
2015194567.tif 000005
【図６】
2015194567.tif 000006
【図７】
2015194567.tif 000007
【図８】
2015194567.tif 000008
【図９】
2015194567.tif 000009
【図１０】
2015194567.tif 000010
【図１１】
2015194567.tif 000011
【図１２】
2015194567.tif 000012
【図１３】
2015194567.tif 000013
【図３】
2015194567.tif 000014
【図４】
2015194567.tif 000015